Podtech/llm-jp-corpus-v4-ja_patent huggingface dataset:
【手続補正書】
【提出日】平成27年2月25日(2015.2.25)
【手続補正１】
【補正対象書類名】特許請求の範囲
【補正対象項目名】全文
【補正方法】変更
【補正の内容】
【特許請求の範囲】
【請求項１】
熱源からの熱によって蒸気を発生させるボイラと、
該ボイラの蒸気により作動する蒸気タービンと、
該蒸気タービンからの蒸気を復水する復水器と、
該復水器で凝縮された復水を給水として前記ボイラ側に送給する給水系統と、
該給水系統に介装され、前記蒸気タービンから再熱器に送給する蒸気の一部を抽気として抜出し、これを用いて前記給水を加熱する給水ヒータと、
該給水ヒータから排出されるヒータドレイン水を濾過して前記給水系統に送水して回収する濾過装置とを有するタービン設備において、
前記ヒータドレイン水はＣＷＴ（Ｃｏｍｂｉｎｅｄ  Ｗａｔｅｒ  Ｔｒｅａｔｍｅｎｔ）適用のタービン設備の低圧ヒータドレイン水であり、
該濾過装置は孔径２〜４μｍのフィルタを有することを特徴とするタービン設備。
【請求項２】
請求項１において、前記濾過装置は前記ヒータドレイン水の全量を濾過して前記給水系統に送水することを特徴とするタービン設備。
【請求項３】
請求項１又は２において、前記濾過装置のフィルタは、不織布の両面をスパンボンドシートで挟んでエンボス加工により一体化した三層構造のフィルタであることを特徴とするタービン設備。
【請求項４】
熱源からの熱によってボイラの給水を蒸発・過熱し、
発生する蒸気により蒸気タービンを作動させ、
該蒸気タービンから排出される蒸気を復水器で凝縮して給水とし、
前記ボイラ側に前記給水を送給し、
前記蒸気タービンから再熱器に送給する蒸気の一部を抜出した抽気を用いて給水ヒータにおいて前記給水を加熱し、
該給水ヒータにおいて前記抽気が冷却されて生成されるヒータドレイン水を濾過し、給水系統に回収するタービン設備におけるヒータドレイン水の水処理方法において、
前記ヒータドレイン水はＣＷＴ（Ｃｏｍｂｉｎｅｄ  Ｗａｔｅｒ  Ｔｒｅａｔｍｅｎｔ）適用のタービン設備の低圧ヒータドレイン水であり、
該ヒータドレイン水を孔径２〜４μｍのフィルタで濾過することを特徴とするタービン設備におけるヒータドレイン水の水処理方法。
【請求項５】
請求項４において、前記ヒータドレイン水の全量を前記フィルタで濾過して前記給水系統に回収することを特徴とするタービン設備におけるヒータドレイン水の水処理方法。
【請求項６】
請求項４又は５において、前記フィルタは、不織布の両面をスパンボンドシートで挟んでエンボス加工により一体化した三層構造のフィルタであることを特徴とするタービン設備におけるヒータドレイン水の水処理方法。
【手続補正２】
【補正対象書類名】明細書
【補正対象項目名】００１９
【補正方法】変更
【補正の内容】
【００１９】
本発明のタービン設備は、熱源からの熱によって蒸気を発生させるボイラと、該ボイラの蒸気により作動する蒸気タービンと、該蒸気タービンからの蒸気を復水する復水器と、該復水器で凝縮された復水を給水として前記ボイラ側に送給する給水系統と、該給水系統に介装され、前記蒸気タービンから再熱器に送給する蒸気の一部を抽気として抜出し、これを用いて前記給水を加熱する給水ヒータと、該給水ヒータから排出されるヒータドレイン水を濾過して前記給水系統に送水して回収する濾過装置とを有するタービン設備において、前記ヒータドレイン水はＣＷＴ（Ｃｏｍｂｉｎｅｄ  Ｗａｔｅｒ  Ｔｒｅａｔｍｅｎｔ）適用のタービン設備の低圧ヒータドレイン水であり、該濾過装置は孔径２〜４μｍのフィルタを有することを特徴とするものである。
【手続補正３】
【補正対象書類名】明細書
【補正対象項目名】００２０
【補正方法】変更
【補正の内容】
【００２０】
本発明のタービン設備におけるヒータドレイン水の水処理方法は、熱源からの熱によってボイラの給水を蒸発・過熱し、発生する蒸気により蒸気タービンを作動させ、該蒸気タービンから排出される蒸気を復水器で凝縮して給水とし、前記ボイラ側に前記給水を送給し、前記蒸気タービンから再熱器に送給する蒸気の一部を抜出した抽気を用いて給水ヒータにおいて前記給水を加熱し、該給水ヒータにおいて前記抽気が冷却されて生成されるヒータドレイン水を濾過し、給水系統に回収するタービン設備におけるヒータドレイン水の水処理方法において、前記ヒータドレイン水はＣＷＴ（Ｃｏｍｂｉｎｅｄ  Ｗａｔｅｒ  Ｔｒｅａｔｍｅｎｔ）適用のタービン設備の低圧ヒータドレイン水であり、該ヒータドレイン水を孔径２〜４μｍのフィルタで濾過することを特徴とするものである。
【手続補正４】
【補正対象書類名】明細書
【補正対象項目名】００２１
【補正方法】変更
【補正の内容】
【００２１】
本発明では、ヒータドレイン水の全量を濾過して給水系統に送水することが好ましい。また、ドレイン水を濾過するフィルタは、不織布の両面をスパンボンドシートで挟んでエンボス加工により一体化した三層構造のフィルタが好ましい。
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
筒状の外装ケースと、
前記外装ケース内に収納される地板と、
前記外装ケース内に収納されたリング状のアンテナ体とを備え、
前記地板には、前記地板の周方向の複数個所に、第一案内係合部が形成されており、
前記アンテナ体には、前記第一案内係合部と係合する第二案内係合部が形成されている、
ことを特徴とするアンテナ内蔵式電子時計。
【請求項２】
前記第一案内係合部は、前記地板に対する垂直方向または半径方向に突出して形成されたアンテナ体の案内突出部であり、前記第二案内係合部は、前記アンテナ体の案内突出部と係合する窪み部であることを特徴する請求項１記載のアンテナ内蔵式電子時計。
【請求項３】
前記アンテナ体の案内突出部は、前記地板に対して垂直方向に突出して形成されており、
前記アンテナ体の窪み部は、前記アンテナ体の下面部に、前記案内突出部と係合するように形成されていることを特徴とする請求項２記載のアンテナ内蔵式電子時計。
【請求項４】
前記地板には、前記アンテナ体を収容する収容部が前記地板の周方向に形成されており、前記アンテナ体の案内突出部は、前記アンテナ体の内周面に対向する前記収容部の壁面部分に、前記内周面方向に突出して形成されており、前記アンテナ体の窪み部は、前記内周面に、前記案内突出部と係合するように形成されていることを特徴とする請求項２記載のアンテナ内蔵式電子時計。
【請求項５】
前記地板には、前記アンテナ体を収容する収容部が前記地板の周方向に形成されており、前記アンテナ体の案内突出部は、前記アンテナ体の外周面に対向する前記収容部の壁面部分に、前記外周面方向に突出して形成されており、前記アンテナ体の窪み部は、前記外周面に、前記案内突出部と係合するように形成されていることを特徴とする請求項２または３記載のアンテナ内蔵式電子時計。
【請求項６】
前記アンテナ体の案内突出部は、円柱形状に形成されていることを特徴とする請求項２ないし５のいずれか一記載のアンテナ内蔵式電子時計。
【請求項７】
前記窪み部は、円筒形状に形成されていることを特徴とする請求項２ないし６のいずれか一記載のアンテナ内蔵式電子時計。
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
二次電池と、
前記二次電池に電力を充電する充電手段と、
前記二次電池の電力で駆動されて時刻を計時する計時手段と、
前記二次電池の電力で駆動されて前記時刻を表示する時刻表示手段と、
前記二次電池の電力で駆動されて計時以外の機能を実行する負荷と、
前記二次電池の電圧を検出する電池電圧検出手段と、
前記二次電池の電圧が第一電圧未満に低下した場合は、前記負荷の駆動開始を禁止する第一制御モードを実行し、
前記二次電池の電圧が前記第一電圧よりも低い第二電圧未満に低下した場合は、前記計時手段の停止が近づいていることを予告する第二制御モードを実行する制御手段と、を備える
ことを特徴とする電子時計。
【請求項２】
請求項１に記載の電子時計において、
前記二次電池の電池残量を表示する残量表示手段と、
前記計時手段の停止を予告する予告表示手段と、を備え、
前記時刻表示手段は秒針を備え、
前記残量表示手段は、前記第一制御モードが実行された場合は、前記秒針とは別の指針を、電池残量を表示するインジケーター針として用い、
前記予告表示手段は、前記第二制御モードが実行された場合は、前記秒針を通常の運針と異なる運針で作動させる
ことを特徴とする電子時計。
【請求項３】
請求項１に記載の電子時計において、
前記二次電池の電池残量を表示する残量表示手段と、
前記計時手段の停止を予告する予告表示手段と、を備え、
前記時刻表示手段は秒針を備え、
前記残量表示手段は、前記第一制御モードが実行された場合は、前記秒針を、電池残量を表示するインジケーター針として用い、
前記予告表示手段は、前記第二制御モードが実行された場合は、前記秒針を通常の運針と異なる運針で作動させる
ことを特徴とする電子時計。
【請求項４】
請求項２または請求項３に記載の電子時計において、
前記二次電池の残量レベルを記憶する記憶部と、
ボタンと、を備え、
前記制御手段は、前記第一制御モードの実行時に前記ボタンが押されると前記残量表示手段を作動し、前記記憶部に記憶されたデータに基づいて電池残量を表示する
ことを特徴とする電子時計。
【請求項５】
請求項２から請求項４のいずれかに記載の電子時計において、
前記制御手段は、前記負荷の動作中は、前記残量表示手段による電池残量の表示を更新しない
ことを特徴とする電子時計。
【請求項６】
請求項１から請求項５のいずれかに記載の電子時計において、
前記制御手段は、前記負荷の動作中における前記電池電圧検出手段による電池電圧の検出間隔を、前記負荷が動作していない場合の検出間隔に比べて短くする
ことを特徴とする電子時計。
【請求項７】
請求項１から請求項６のいずれかに記載の電子時計において、
前記制御手段は、前記負荷の動作中に前記電池電圧検出手段で検出した前記二次電池の電圧が、前記第一電圧よりも低い第三電圧未満に低下した場合は、前記負荷の動作を停止する
ことを特徴とする電子時計。
【請求項８】
請求項１から請求項７のいずれかに記載の電子時計において、
前記充電手段が前記二次電池に電力を充電している充電状態であるか、あるいは、非充電状態であるかを検出する充電状態検出手段を備え、
前記制御手段は、前記充電手段が充電状態の場合は、前記電池電圧検出手段による電池電圧の検出間隔を、非充電状態の場合に比べて長くする
ことを特徴とする電子時計。
【請求項９】
請求項１から請求項７のいずれかに記載の電子時計において、
前記充電手段が前記二次電池に電力を充電している充電状態であるか、あるいは、非充電状態であるかを検出する充電状態検出手段を備え、
前記制御手段は、前記充電手段が充電状態の場合は、前記電池電圧検出手段による電池電圧の検出動作を停止する
ことを特徴とする電子時計。
【請求項１０】
請求項１から請求項７のいずれかに記載の電子時計において、
前記充電手段は、ソーラーセルを備えて構成され、
前記ソーラーセルの開放電圧を検出する開放電圧検出手段を備え、
前記制御手段は、前記開放電圧が設定値以上の場合は、前記電池電圧検出手段による電池電圧の検出動作を停止する
ことを特徴とする電子時計。
【手続補正２】
【補正対象書類名】明細書
【補正対象項目名】００４７
【補正方法】変更
【補正の内容】
【００４７】
制御回路４０は、衛星信号受信装置を備える電子時計１を制御するためのＣＰＵで構成されている。この制御回路４０は、後述するように、ＧＰＳ受信回路３０を制御して受信処理を実行する。また、制御回路４０は、電池電圧検出回路４５で検出した電池電圧に基づく二次電池２４の残量レベルを記憶する記憶部４０Ａを備えている。
また、制御回路４０は、計時手段５１および時刻表示手段５２を制御して計時処理および時刻表示処理を行う。
さらに、制御回路４０は、充電制御用スイッチ４２、発電状態検出回路４３、開放電圧検出回路４４、電池電圧検出回路４５、残量表示手段６０、予告表示手段７０の動作を制御する。
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
筒状の外装ケースと、
前記外装ケース内に収納される地板と、
前記外装ケース内に収納されるリング状のアンテナ体と、
前記地板に形成され、前記アンテナ体を前記地板に対する垂直方向に位置決めする基準面と、
前記地板に取り付けられ、前記アンテナ体と係合して前記アンテナ体を前記基準面の方向に付勢する付勢部材と、
前記アンテナ体に形成され、前記付勢部材と係合する係合部とを備える、
ことを特徴とするアンテナ内蔵式電子時計。
【請求項２】
前記付勢部材は、フックを備えた板材であり、
前記係合部は、前記フックと係合する突出部であることを特徴とする請求項１記載のアンテナ内蔵式電子時計。
【請求項３】
前記突出部は、前記アンテナ体の外周側面部に形成されていることを特徴とする請求項２記載のアンテナ内蔵式電子時計。
【請求項４】
前記フックには、前記突出部と係合する貫通孔が形成されていることを特徴とする請求項３記載のアンテナ内蔵式電子時計。
【請求項５】
前記付勢部材は、前記アンテナ体が載置されるリング状の板材であることを特徴とする請求項１ないし３のいずれか一記載のアンテナ内蔵式電子時計。
【請求項６】
前記地板には、前記地板の周方向の複数個所に、第一案内係合部が形成されており、前記アンテナ体には、前記第一案内係合部と係合する第二案内係合部が形成されていることを特徴とする請求項１ないし５のいずれか一記載のアンテナ内蔵式電子時計。
【請求項７】
前記第一案内係合部は、前記地板に対する垂直方向または半径方向に突出して形成されたアンテナ体の案内突出部であり、前記第二案内係合部は、前記アンテナ体の案内突出部と係合する窪み部であることを特徴する請求項６記載のアンテナ内蔵式電子時計。
【請求項８】
前記リング状の板材が複数に分割されて前記地板に取り付けられていることを特徴とする請求項５に記載のアンテナ内蔵式電子時計。
【請求項９】
前記外装ケースと前記付勢部材とは金属で形成され、
前記付勢部材に、前記外装ケースと接触する導通部が形成されていることを特徴とする請求項１ないし８のいずれか一記載のアンテナ内蔵式電子時計。
【手続補正書】
【提出日】平成27年2月23日(2015.2.23)
【手続補正１】
【補正対象書類名】明細書
【補正対象項目名】発明の名称
【補正方法】変更
【補正の内容】
【発明の名称】磁気測定装置、ガスセル、及びガスセルの製造方法
【手続補正２】
【補正対象書類名】特許請求の範囲
【補正対象項目名】全文
【補正方法】変更
【補正の内容】
【特許請求の範囲】
【請求項１】
ガスセルと光照射ユニットと検出ユニットとを備え、
前記ガスセルにはアルカリ金属ガスが封入されており、
前記ガスセルの内壁には第１のコーティング層と第２のコーティング層とが形成されており、
前記第１のコーティング層に含まれる第１の分子は、一端が前記内壁と化学結合した非極性基であり、
前記第２のコーティング層に含まれる第２の分子は、非極性分子である事を特徴とする磁気測定装置。
【請求項２】
内壁で囲まれた空間にアルカリ金属ガスが封入され、
前記内壁には第１のコーティング層と第２のコーティング層とが形成されており、
前記第１のコーティング層に含まれる第１の分子は、一端が前記内壁と化学結合した非極性基であり、
前記第２のコーティング層に含まれる第２の分子は、非極性分子である事を特徴とするガスセル。
【請求項３】
前記第２の分子は前記第１の分子に物理吸着している事を特徴とする請求項２に記載のガスセル。
【請求項４】
前記第１の分子は有機珪素化合物である
ことを特徴とする請求項２又は３に記載のガスセル。
【請求項５】
前記第２の分子は炭化水素である
ことを特徴とする請求項２乃至４のいずれか１項に記載のガスセル。
【請求項６】
前記炭化水素はパラフィンである
ことを特徴とする請求項５に記載のガスセル。
【請求項７】
内部にアルカリ金属原子が充填されるガスセルの製造方法であって、
極性基を有する内壁を、該極性基に化学結合する官能基と非極性基とを有する第１の分子でコーティングする第１のコーティング工程と、
非極性の第２の分子でコーティングする第２のコーティング工程と、
を具備することを特徴とするガスセルの製造方法。
【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
光量分布が設定された照明光を第１の方向で照明する照明部と、
前記第１の方向から前記照明光を照明対象に照明する場合、前記照明対象の明暗分布が前記第１の方向とは異なる第２の方向から照明されたような明暗分布となる前記照明光の光量分布を示す第２光量分布情報と前記第２の方向とが関連付けて記憶されている記憶部と、
前記第２の方向に関連付いた前記第２光量分布情報に基づいて前記照明部が照明する前記照明光の光量分布を設定する設定部と
を備えることを特徴とする照明装置。
【請求項２】
前記設定部は、前記照明光が照明された前記照明対象を撮像する撮像部によって生成された画像情報が示す、前記照明対象の表面に生じる明暗分布に基づいて、前記照明部が照明する前記照明光の光量分布を設定する
ことを特徴とする請求項１に記載の照明装置。
【請求項３】
前記照明光の照明方向とは異なる方向から、前記照明対象を撮像する撮像部
を備えることを特徴とする請求項２に記載の照明装置。
【請求項４】
前記画像情報が示す前記照明対象の表面に生じる明暗分布に基づいて、前記照明対象の表面の形状を推定する推定部を備え、
前記設定部は、
前記推定部が推定する前記照明対象の表面の形状に基づいて、前記照明部が照明する前記照明光の光量分布を設定する
ことを特徴とする請求項２または請求項３に記載の照明装置。
【請求項５】
前記推定部は、
前記設定部が設定する前記照明光の光量分布と前記画像情報が示す前記照明対象の表面に生じる明暗分布との差分に基づいて、前記照明対象の表面の形状を推定する
ことを特徴とする請求項４に記載の照明装置。
【請求項６】
前記照明部は、前記照明光の光量を調整する光量調整部を含み、
前記設定部は、前記光量調整部を設定し、前記照明部から照明する光量を設定する
ことを特徴とする請求項１から請求項５のいずれか一項に記載の照明装置。
【請求項７】
前記照明部による照明を前記第１の方向から照明するか前記第２の方向から照明するかを選択する選択部を備え、
前記記憶部は、前記第１の方向から前記照明光を前記照明対象に照明する場合、前記照明対象の表面の明暗分布が前記第１の方向から照明されたような明暗分布となる、前記照明光の光量分布を示す第１光量分布情報と前記第１の方向とが関連付けて記憶され、
前記設定部は、前記選択部によって選択された前記第１の方向に関連付いた前記第１光量分布情報に基づいてまたは、前記選択部によって選択された前記第２の方向に関連付いた前記第２光量分布情報に基づいて、前記照明部が照明する前記照明光の光量分布を設定する
ことを特徴とする請求項１から請求項６のいずれか一項に記載の照明装置。
【請求項８】
コンピュータに、
光量分布が設定された照明光を第１の方向で照明する処理と、
前記第１の方向から前記照明光を照明対象に照明する場合、前記照明対象の表面の明暗分布が前記第１の方向とは異なる第２の方向から照明されたような明暗分布となる、前記照明光の光量分布を示す光量分布情報に基づいて、前記照明光の光量分布を設定する処理と
を実行させるためのプログラム。
【請求項９】
コンピュータに、
前記照明光が照明された前記照明対象を撮像する撮像部によって生成された画像情報が示す、前記照明対象の表面に生じる明暗分布に基づいて、前記照明光の光量分布を設定する処理
を実行させるための請求項８に記載のプログラム。
【手続補正２】
【補正対象書類名】明細書
【補正対象項目名】発明の名称
【補正方法】変更
【補正の内容】
【発明の名称】照明装置、及びプログラム
【手続補正３】
【補正対象書類名】明細書
【補正対象項目名】０００１
【補正方法】変更
【補正の内容】
【０００１】
本発明は、照明装置、及びプログラムに関する。
【手続補正４】
【補正対象書類名】明細書
【補正対象項目名】０００５
【補正方法】変更
【補正の内容】
【０００５】
本発明は、上記問題を解決すべくなされたもので、その目的は、照明対象を照明する照明光の照度や配光を可変にしつつ、装置を小型にすることができる照明装置、及びプログラムを提供することにある。
【手続補正５】
【補正対象書類名】明細書
【補正対象項目名】０００６
【補正方法】変更
【補正の内容】
【０００６】
本発明の一実施形態は、光量分布が設定された照明光を第１の方向で照明する照明部と、前記第１の方向から前記照明光を照明対象に照明する場合、前記照明対象の明暗分布が前記第１の方向とは異なる第２の方向から照明されたような明暗分布となる前記照明光の光量分布を示す第２光量分布情報と前記第２の方向とが関連付けて記憶されている記憶部と、前記第２の方向に関連付いた前記第２光量分布情報に基づいて前記照明部が照明する前記照明光の光量分布を設定する設定部とを備えることを特徴とする照明装置である。
また、本発明の一実施形態は、コンピュータに、光量分布が設定された照明光を第１の方向で照明する処理と、前記第１の方向から前記照明光を照明対象に照明する場合、前記照明対象の表面の明暗分布が前記第１の方向とは異なる第２の方向から照明されたような明暗分布となる、前記照明光の光量分布を示す光量分布情報に基づいて、前記照明光の光量分布を設定する処理とを実行させるためのプログラムである。
【手続補正書】
【提出日】平成27年2月27日(2015.2.27)
【手続補正１】
【補正対象書類名】明細書
【補正対象項目名】０００８
【補正方法】変更
【補正の内容】
【０００８】
上記の目的を達成するため、本発明による照明装置は、透過する光の色特性を変化させる光学アクセサリを発光部の前方に取り付け可能であり、撮像装置に着脱可能な照明装置であって、前記発光部の前方に取り付けられた前記光学アクセサリの特徴に関する情報を取得する取得手段と、前記取得手段により取得された前記光学アクセサリの特徴に関する情報を装着された撮像装置に送信する送信手段と、を有することを特徴とする。
【手続補正２】
【補正対象書類名】明細書
【補正対象項目名】０００９
【補正方法】変更
【補正の内容】
【０００９】
本発明による撮像システムは、透過する光の色特性を変化させる光学アクセサリを発光部の前方に取り付け可能な照明装置と、撮像装置とを有する撮像システムであって、前記発光部の前方に取り付けられた前記光学アクセサリの特徴に関する情報を取得する取得手段と、前記取得手段により取得された前記光学アクセサリの特徴に関する情報と前記照明装置を予備発光させて取得した測光値とに基づいて、当該照明装置の本発光量を演算する演算手段と、を有することを特徴とする。
【手続補正３】
【補正対象書類名】特許請求の範囲
【補正対象項目名】全文
【補正方法】変更
【補正の内容】
【特許請求の範囲】
【請求項１】
透過する光の色特性を変化させる光学アクセサリを発光部の前方に取り付け可能であり、撮像装置に着脱可能な照明装置であって、
前記発光部の前方に取り付けられた前記光学アクセサリの特徴に関する情報を取得する取得手段と、
前記取得手段により取得された前記光学アクセサリの特徴に関する情報を装着された撮像装置に送信する送信手段と、
を有することを特徴とする照明装置。
【請求項２】
前記取得手段は、前記光学アクセサリの特徴に関する情報として、前記発光部を発光させたときに前記光学アクセサリによって減光される量に関する情報を取得することを特徴とする請求項１に記載の照明装置。
【請求項３】
前記撮像装置は、前記照明装置を予備発光させて取得した測光値に基づいて当該照明装置の本発光量を演算するものであって、
前記取得手段は、前記光学アクセサリの特徴に関する情報として、予備発光量に対して前記光学アクセサリによって減光される量を補正した補正予備発光量を表す情報を取得することを特徴とする請求項２に記載の照明装置。
【請求項４】
光源と、
受光手段と、を有し、
前記取得手段は、前記光源から発せられ前記光学アクセサリを透過した光を前記受光手段により受光した受光結果に基づいて、前記光学アクセサリの特徴に関する情報を取得することを特徴とする請求項１ないし３のいずれか１項に記載の照明装置。
【請求項５】
前記光源から発せられ前記光学アクセサリを透過した光の色特性に関する情報と前記光学アクセサリの特徴に関する情報とを対応付けした情報を予め記憶する記憶手段を有し、
前記取得手段は、前記受光手段の受光結果に基づく前記光学アクセサリを透過した光の色特性に関する情報と前記記憶手段に記憶された情報とに基づいて、前記光学アクセサリの特徴に関する情報を取得することを特徴とする請求項４に記載の照明装置。
【請求項６】
透過する光の色特性を変化させる光学アクセサリを発光部の前方に取り付け可能な照明装置と、撮像装置とを有する撮像システムであって、
前記発光部の前方に取り付けられた前記光学アクセサリの特徴に関する情報を取得する取得手段と、
前記取得手段により取得された前記光学アクセサリの特徴に関する情報と前記照明装置を予備発光させて取得した測光値とに基づいて、当該照明装置の本発光量を演算する演算手段と、
を有することを特徴とする撮像システム。
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
顧客の端末から送信されたメッセージを受信する通信部と、
前記顧客とメッセージの送受信をする複数の第１アシスタント候補の属性を管理する管理部と、
前記複数の第１アシスタント候補の少なくとも一部の第１アシスタント候補の属性を前記顧客の端末に表示させる表示制御部と、
を備え、
前記通信部が、前記複数の第１アシスタント候補から前記顧客が選択した第１アシスタントを示す選択情報を前記顧客の端末から受信すると、前記管理部は、前記顧客と、前記第１アシスタントと、前記第１アシスタントとともに前記顧客とメッセージの送受信をする第２アシスタントと、を関連付けて記憶部に記憶させ、
前記通信部は、前記第２アシスタントが前記顧客に送信するメッセージを受信すると、当該メッセージを、前記第１アシスタントが作成したことを示す情報を含むメッセージに変換した後のメッセージを前記顧客に送信する、
アシスタント管理装置。
【請求項２】
前記通信部が受信した前記メッセージに基づいて、前記顧客の属性を推定する属性推定部をさらに有し、
前記表示制御部は、前記顧客の属性と前記複数の第１アシスタント候補の属性とに基づいて選択された前記少なくとも一部の第１アシスタント候補の属性を前記顧客の端末に表示させる、
請求項１に記載のアシスタント管理装置。
【請求項３】
前記顧客の属性と前記複数の第１アシスタント候補の属性とに基づいて、前記複数の第１アシスタント候補の優先順位を決定する決定部をさらに有し、
前記表示制御部は、前記決定部が決定した前記優先順位に基づいて、前記複数の第１アシスタント候補の少なくとも一部の第１アシスタント候補の属性を前記顧客の端末に表示させる、
請求項１に記載のアシスタント管理装置。
【請求項４】
前記通信部が、前記複数の第１アシスタント候補から前記顧客が選択した第１アシスタントを示す選択情報を前記顧客の端末から受信すると、前記顧客の属性と、前記第１アシスタントの属性とに基づいて、複数の第２アシスタント候補から少なくとも１名の第２アシスタントを選択する決定部をさらに有し、
前記管理部は、前記顧客と、前記第１アシスタントと、前記決定部が選択した前記第２アシスタントと、を関連付けて記憶部に記憶させる、
請求項１から３のいずれか１項に記載のアシスタント管理装置。
【請求項５】
顧客の端末から送信されたメッセージを受信する手順と、
前記顧客とメッセージの送受信をする複数の第１アシスタント候補の少なくとも一部の第１アシスタント候補の属性を前記顧客の端末に表示させる手順と、
前記複数の第１アシスタント候補から前記顧客が選択した第１アシスタントを示す選択情報を前記顧客の端末から受信すると、前記顧客と、前記第１アシスタントと、前記第１アシスタントとともに前記顧客とメッセージの送受信をする第２アシスタントと、を関連付けて記憶部に記憶させる手順と、
前記第２アシスタントが前記顧客に送信するメッセージを受信すると、当該メッセージを、前記第１アシスタントが作成したことを示す情報を含むメッセージに変換した後のメッセージを前記顧客に送信する手順と、
を有するアシスタント管理方法。
【請求項６】
予め登録された顧客の顧客端末と、互いにメッセージの送受信をする第１アシスタント及び前記顧客を管理するアシスタント管理装置とを備えるアシスタント管理システムであって、
前記アシスタント管理装置は、
前記顧客端末から送信されたメッセージを受信する装置通信部と、
前記顧客とメッセージの送受信をする複数の第１アシスタント候補の属性を管理する管理部と、
前記複数の第１アシスタント候補の少なくとも一部の第１アシスタント候補の属性を前記顧客端末に表示させる表示制御部と、
を有し、
前記顧客端末は、
前記複数の第１アシスタント候補の少なくとも一部の第１アシスタント候補の属性を表示する表示部と、
前記顧客の操作を受け付ける操作受付部と、
前記複数の第１アシスタント候補から前記顧客が選択した第１アシスタントを示す選択情報を前記アシスタント管理装置に送信する端末通信部と、
を有し、
前記装置通信部が、前記選択情報を前記顧客端末から受信すると、前記管理部は、前記顧客と、前記第１アシスタントと、前記第１アシスタントとともに前記顧客とメッセージの送受信をする第２アシスタントと、を関連付けて記憶部に記憶させ、
前記装置通信部は、前記第２アシスタントが前記顧客に送信するメッセージを受信すると、当該メッセージを、前記第１アシスタントが作成したことを示す情報を含むメッセージに変換した後のメッセージを前記顧客端末に送信する、
アシスタント管理システム。
【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
遊技者が所定の遊技を行うことが可能な遊技機であって、
機能が異なる複数のプログラムモジュールに従って当該遊技機の制御を行う制御手段と、
電力供給が停止してもデータを所定期間保持可能なバックアップ記憶手段とを備え、
前記制御手段は、前記プログラムモジュールごとに、該プログラムモジュールで用いられるデータにもとづいてバックアップデータを前記バックアップ記憶手段に格納するバックアップ処理を行うバックアップ処理手段を含む
ことを特徴とする遊技機。
【手続補正２】
【補正対象書類名】明細書
【補正対象項目名】０００５
【補正方法】変更
【補正の内容】
【０００５】
特許文献１に記載された遊技機では、いずれの機能に関して用いられるデータであるかにかかわらず、一括してデータをバックアップしている。しかしながら、一括してデータをバックアップしても、データのバックアップ後にバックアップが正常に行われているか否かを各々の機能について判定する必要がある。よって、データのバックアップは一括して行われるにもかかわらず、判定は機能ごとに行う必要になって、バックアップ処理を機能ごとに完了させることができず、プログラムを機能ごとに分けて開発することができないため、遊技機に搭載するプログラムが複雑化し、プログラムの開発が複雑になるとともにプログラムの開発工数が増加してしまう。
【手続補正３】
【補正対象書類名】明細書
【補正対象項目名】０００７
【補正方法】変更
【補正の内容】
【０００７】
（手段１）本発明による遊技機は、遊技者が所定の遊技を行うことが可能な遊技機であって、機能が異なる複数のプログラムモジュールに従って当該遊技機の制御を行う制御手段（図１０におけるＳｄ２，Ｓｄ３，Ｓｄ５，Ｓｄ７の部分や図２４におけるＳｐ５，Ｓｐ６，Ｓｐ７の部分）と、電力供給が停止してもデータを所定期間保持可能なバックアップ記憶手段（図１３におけるＳｍ５，Ｓｍ１０，Ｓｍ１５，Ｓｍ２０の部分や図２５におけるＳｔ５，Ｓｔ１０，Ｓｔ１５の部分）とを備え、制御手段は、プログラムモジュールごとに、該プログラムモジュールで用いられるデータにもとづいてバックアップデータをバックアップ記憶手段に格納するバックアップ処理を行うバックアップ処理手段（図１３におけるＳｍ３，Ｓｍ８，Ｓｍ１３，Ｓｍ１８の部分や図２５におけるＳｔ３，Ｓｔ８，Ｓｔ１３の部分）を含むことを特徴とする。
そのような構成によれば、遊技機の機能ごとにバックアップ処理を完了させることが可能になり、バックアップ処理に関するプログラムを機能ごとに分けて開発することが可能になるので、プログラムの開発を容易にするとともにプログラムを単純化して、プログラムの開発工数を削減することができる。また、バックアップ処理を単純化することができる。
なお、手段１における遊技機は、遊技者が所定の遊技を行うことが可能な遊技機であって、機能が異なる複数のプログラムモジュールに従って当該遊技機の制御を行う制御手段（図１０におけるＳｄ２，Ｓｄ３，Ｓｄ５，Ｓｄ７の部分や図２４におけるＳｐ５，Ｓｐ６，Ｓｐ７の部分）と、電力供給が停止してもデータを所定期間保持可能なバックアップ記憶手段（図１３におけるＳｍ５，Ｓｍ１０，Ｓｍ１５，Ｓｍ２０の部分や図２５におけるＳｔ５，Ｓｔ１０，Ｓｔ１５の部分）とを備え、制御手段は、電力供給の停止時に、プログラムモジュールごとに、該プログラムモジュールで用いられるデータにもとづいてバックアップデータをバックアップ記憶手段に格納するバックアップ処理を行うバックアップ処理手段（図１３におけるＳｍ３，Ｓｍ８，Ｓｍ１３，Ｓｍ１８の部分や図２５におけるＳｔ３，Ｓｔ８，Ｓｔ１３の部分）を含み、バックアップ処理手段は、プログラムモジュールごとに異なる記憶領域に格納されるように開始アドレスを設定して、設定した開始アドレスに対応する記憶領域からバックアップデータをバックアップ記憶手段に格納する（図１３におけるＳｍ３，Ｓｍ８，Ｓｍ１３，Ｓｍ１８において図１４に示す開始アドレスにバックアップデータを格納する部分や図２５におけるＳｔ３，Ｓｔ８，Ｓｔ１３において図２６に示す開始アドレスにバックアップデータを格納する部分）ことを特徴としてもよい。
そのような構成によれば、遊技機の機能ごとにバックアップ処理を完了させることが可能になり、バックアップ処理に関するプログラムを機能ごとに分けて開発することが可能になるので、プログラムの開発を容易にするとともにプログラムを単純化して、プログラムの開発工数を削減することができる。また、バックアップ処理を単純化することができる。
なお、手段１において、また、「制御手段」は、単体の制御手段として実現されてもよいし、複数の制御手段として実現されていてもよい。複数の制御手段を設けるように構成する場合には、各制御手段のそれぞれにおいてバックアップデータのデータ作成領域の開始アドレスがモジュールごとに異なるように開始アドレスを指定してもよいし、一部の制御手段のみにおいてバックアップデータのデータ作成領域の開始アドレスがモジュールごとに異なるように開始アドレスを指定してもよい。
【手続補正書】
【提出日】平成27年7月14日(2015.7.14)
【手続補正１】
【補正対象書類名】特許請求の範囲
【補正対象項目名】全文
【補正方法】変更
【補正の内容】
【特許請求の範囲】
【請求項１】
磁気共鳴撮像（ＭＲＩ）システム（２０）向けの真空容器（２４）であって、
マグネットアセンブリをその内部に受け容れるように構成されたハウジング（３０）と、
ハウジングの端部を形成する端部フランジ（３２）であって、外表面（４４）、内表面（４６）、及び該外表面と内表面の間に結合されたコア（４８）を含み、該コアは外表面及び内表面と比べてより大きな剛度を有する端部フランジ（３２）と、
を備える真空容器（２４）。
【請求項２】
前記端部フランジ（３２）は概して平面状である、請求項１に記載の真空容器（２４）。
【請求項３】
前記外表面と内表面（４４、４６）は金属材料から形成されており、かつ前記コア（４８）は複合材料から形成されている、請求項１または２に記載の真空容器（２４）。
【請求項４】
前記金属材料はステンレス鋼であると共に約２ミリメートルの厚さを有する、請求項３に記載の真空容器（２４）。
【請求項５】
前記外表面と内表面（４４、４６）はガラス繊維から形成されている、請求項１乃至４のいずれかに記載の真空容器（２４）。
【請求項６】
前記コア（４８）は蜂の巣様構成（８０）で金属から形成されている、請求項１乃至５のいずれかに記載の真空容器（２４）。
【請求項７】
前記外表面（４４）は耐燃焼性材料を含む、請求項１乃至６のいずれかに記載の真空容器（２４）。
【請求項８】
前記外表面（４４）は真空容器の外側ハウジングを画定すると共にカバーを含まない、請求項１乃至７のいずれかに記載の真空容器（２４）。
【請求項９】
前記外表面（４４）、内表面（４６）及びコア（４８）は、サンドイッチ配列で約１０ミリメートルの全体厚を有するように一体に結合されている、請求項１乃至８のいずれかに記載の真空容器（２４）。
【請求項１０】
マグネット共鳴撮像（ＭＲＩ）システム用の真空容器向けのフランジを製造する方法（９０）であって、
真空容器フランジのコア、外表面及び内表面を形成するステップ（９２、９４）であって、該コアは外表面及び内表面と比べてより大きな剛度を有する形成ステップ（９２、９４）と、
コアを外表面及び内表面と一体に結合させるステップ（９６）であって、該コアは外表面と内表面の間にあると共に一体となって概して平面状の真空容器フランジを画定している結合ステップ（９６）と、
を含む方法（９０）。
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
注釈を付与されたコンテンツをキャプチャして編成するシステムであって、
モバイル装置上のカメラを利用してコンテンツ画像をキャプチャするコンテンツキャプチャリング手段と、
注釈付け対象のキャプチャされたコンテンツを含む画像の少なくとも１つの領域を画定して識別する前記モバイル装置上の領域画定手段と、
前記キャプチャされたコンテンツの少なくとも１つの領域に対応する、ユーザ作成の注釈を受信する、前記モバイル装置上の注釈手段と、
前記モバイル装置に接続されたサーバ上にあって、前記キャプチャされたコンテンツとユーザ作成の注釈とを特定の順序に編成して映像を生成する、映像生成手段と、
を備えるシステム。
【請求項２】
前記コンテンツキャプチャリング手段は、前記モバイル装置に接続されたネットワーク上のコンテンツ情報サーバから前記コンテンツに関係する情報を取得する、請求項１に記載のシステム。
【請求項３】
前記コンテンツはホワイトボード上の情報であり、前記コンテンツキャプチャリング手段は、前記ホワイトボードの周りに配置され、前記ホワイトボードの全コンテンツ画像へのリンクとして前記モバイル装置によって識別されるコードまたは電子タグを利用して、前記ホワイトボードの全コンテンツを前記モバイル装置に接続されたネットワーク上に受信する、請求項１に記載のシステム。
【請求項４】
前記領域画定手段は、前記コンテンツ中の少なくとも１つのオブジェクトの境界ボックスを抽出し、前記オブジェクトの表面領域を識別する少なくとも１つの領域内のある位置にユーザ入力を受信する、請求項１に記載のシステム。
【請求項５】
前記領域画定手段は、ユーザ入力が境界ボックスと交差しない場合には、タッチエリアの半径に等しい長さの側辺を有する矩形領域を境界ボックスとして人工的に生成する、請求項４に記載のシステム。
【請求項６】
前記ユーザ作成の注釈は、前記モバイル装置上に生成された音声記録である、請求項１に記載のシステム。
【請求項７】
前記ユーザ作成の注釈は、前記モバイル装置上に作成された書込み表記である、請求項１に記載のシステム。
【請求項８】
前記映像生成手段は、少なくとも１つの領域またはユーザ作成の注釈部分を隠すマスクを生成し、少なくとも１つの領域またはユーザ作成の注釈の隠された部分が前記映像の再生時に段階的に現れてくる、請求項１に記載のシステム。
【請求項９】
前記映像を少なくとも一人の第二ユーザに分配する共有手段を更に備える、請求項１に記載のシステム。
【請求項１０】
前記共有手段は、前記コンテンツの近傍に位置するユーザに前記映像を分配する、請求項９に記載のシステム。
【請求項１１】
注釈を付与されたコンテンツをキャプチャして編成する方法であって、
モバイル装置上のコンテンツキャプチャリング手段により、前記モバイル装置上のカメラを利用して画像をキャプチャし、
前記モバイル装置上の領域画定手段により、注釈付け対象のキャプチャされたコンテンツを含む、前記モバイル装置上の画像の少なくとも１つの領域を画定して識別し、
前記モバイル装置上の注釈手段により、前記キャプチャされたコンテンツの少なくとも１つの領域に対応する、ユーザ作成の注釈を前記モバイル装置上で受信し、
前記モバイル装置に接続された、プロセッサとメモリを有するサーバ上の映像生成手段により、前記キャプチャされたコンテンツとユーザ作成の注釈とを特定の順序に編成し映像を生成する、
ことを含む方法。
【請求項１２】
前記コンテンツキャプチャリング手段により、前記モバイル装置に接続されたネットワーク上のコンテンツ情報サーバから前記コンテンツに関係する情報を取得することを更に含む、請求項１１に記載の方法。
【請求項１３】
前記コンテンツはホワイトボード上の情報であり、
前記コンテンツキャプチャリング手段により、前記ホワイトボードの周りに配置され、前記モバイル装置に接続されたネットワーク上における前記ホワイトボードの全コンテンツ画像へのリンクとして前記モバイル装置によって識別されるコードまたは電子タグを利用して、前記ホワイトボード上の全コンテンツを受信することを更に含む、請求項１１に記載の方法。
【請求項１４】
前記領域画定手段により、前記コンテンツ中の少なくとも１つのオブジェクトの境界ボックスを抽出し、かつ前記オブジェクトの表面領域を識別する少なくとも１つの領域のある位置にユーザ入力を受けることによって、前記画像の少なくとも１つの領域を識別して画定することを更に含む、請求項１１に記載の方法。
【請求項１５】
前記領域画定手段により、ユーザ入力が境界ボックスと交差しない場合には、タッチエリアの半径に等しい長さの側辺を有する矩形領域を境界ボックスとして人工的に生成することを更に含む、請求項１４に記載の方法。
【請求項１６】
前記ユーザ作成の注釈は、前記モバイル装置上に生成された音声記録である、請求項１１に記載の方法。
【請求項１７】
前記ユーザ作成の注釈は、前記モバイル装置上に生成された書込み表記である、請求項１１に記載の方法。
【請求項１８】
前記映像生成手段により、前記キャプチャされたコンテンツとユーザ作成の注釈とを特定の順序に編成することは、少なくとも１つの領域またはユーザ作成の注釈の部分を隠すマスクを生成し、少なくとも１つの領域またはユーザ作成の注釈の隠された部分が前記映像の再生時に段階的に現れてくることを更に含む、請求項１１に記載の方法。
【請求項１９】
前記サーバ上の共有手段により、前記映像を少なくとも一人の第二ユーザに分配することを更に含む、請求項１１に記載の方法。
【請求項２０】
前記サーバ上の共有手段により、前記コンテンツの近傍に位置するユーザに前記映像を分配する、請求項１９に記載の方法。
【請求項２１】
モバイル装置を、請求項１〜１０のいずれか一項に記載の、コンテンツキャプチャリング手段、領域画定手段、及び注釈手段として機能させるコンピュータプログラム。
【請求項２２】
モバイル装置に接続された、プロセッサとメモリを有するサーバを、請求項１〜１０のいずれか一項に記載の映像生成手段として機能させるコンピュータプログラム。
【請求項２３】
前記サーバを、請求項９又は１０に記載の共有手段として機能させる請求項２２に記載のコンピュータプログラム。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
複数個の図柄が配置された３つの回胴を回転させる図柄表示ゲームで役の抽選を行って、３つの回胴に対応して設けられた停止スイッチの操作により回転する回胴を個々に停止させ、表示窓に複数の図柄を表示すると共に、図柄表示ゲームの遊技状態として抽選によるリプレイ役の当選確率が所定の通常リプレイ状態及びリプレイ役の当選確率が通常リプレイ状態より高い高確率リプレイ状態が存在し、高確率リプレイ状態と通常リプレイ状態を移行しながら、図柄表示ゲームを行うことが可能な遊技機において、
該遊技機は、図柄表示ゲームにおけるスタート手段の正規操作から停止スイッチの正規操作が有効化されるまでの間に、演出の為に前記回胴を変動及び疑似停止させて表示窓に演出用図柄を一直線に表示するフリーズ演出を行うことがあり、
前記図柄表示ゲームで役を抽選する役抽選手段と、
前記役抽選手段の抽選結果及び停止スイッチの操作に応じて、複数の図柄列を所定位置に停止させる制御を行う停止制御手段と、
表示演出装置に表示することにより、停止スイッチの操作順序を報知する報知手段と、
アシスト機能を発動させるための抽選を行うアシスト抽選手段と、
前記フリーズ演出を行う演出実行手段と、
を具備し、
前記フリーズ演出における前記回胴の疑似停止中には、前記演出用図柄が上下に震動し、該フリーズ演出が終了した後に、３つの回胴が一定速度で回転して、停止スイッチの正規操作が有効化され、
前記役抽選手段が抽選する役には、複数のアシスト小役があり、
該アシスト小役は、入賞させることが目的の第１小役、該第１小役の入賞を阻害する目的の複数種類の第２小役、及び第１小役の入賞を阻害する目的の第３小役の何れかが入賞可能な小役であって、第１小役の配当枚数は、第３小役の配当枚数より多くなっており、
前記役抽選手段が役抽選を行って、複数のアシスト小役中の何れか１つを内部当選させた場合、前記停止制御手段は、停止スイッチの最初の停止操作が第１小役を入賞させる為の操作順序であるとき、第１小役及び第３小役の共通図柄を有効ライン上に停止させ、停止スイッチの最初の停止操作に続く２回目の停止操作が第１小役を入賞させる為の操作順序であれば第１小役図柄を有効ライン上に停止させて第１小役をテンパイ状態とし、停止スイッチの最後の停止操作で第１小役を入賞させるが、前記２回目の停止操作が第１小役の入賞を阻害する操作順序であれば第３小役図柄を有効ライン上に停止させて第３小役をテンパイ状態とする一方、停止スイッチの最初の停止操作が第１小役の入賞を阻害する操作順序であるとき、複数種類の第２小役図柄の内、有効ライン上に引込可能なコマ数以内にある何れか１つの第２小役図柄を停止させ、停止スイッチのその後の停止操作で第２小役を入賞させるか又は非入賞の何れかにし、
前記報知手段は、アシスト機能の発動状態において、前記表示演出装置に表示することにより、内部当選したアシスト小役の第１小役を入賞させる為の停止スイッチの操作順序を報知すること、
を特徴とする遊技機。
【手続補正２】
【補正対象書類名】明細書
【補正対象項目名】００２１
【補正方法】変更
【補正の内容】
【００２１】
請求項１に係る本発明の遊技機は、上記の目的を達成する為に、複数個の図柄が配置された３つの回胴を回転させる図柄表示ゲームで役の抽選を行って、３つの回胴に対応して設けられた停止スイッチの操作により回転する回胴を個々に停止させ、表示窓に複数の図柄を表示すると共に、図柄表示ゲームの遊技状態として抽選によるリプレイ役の当選確率が所定の通常リプレイ状態及びリプレイ役の当選確率が通常リプレイ状態より高い高確率リプレイ状態が存在し、高確率リプレイ状態と通常リプレイ状態を移行しながら、図柄表示ゲームを行うことが可能な遊技機において、該遊技機は、図柄表示ゲームにおけるスタート手段の正規操作から停止スイッチの正規操作が有効化されるまでの間に、演出の為に前記回胴を変動及び疑似停止させて表示窓に演出用図柄を一直線に表示するフリーズ演出を行うことがあり、前記図柄表示ゲームで役を抽選する役抽選手段と、前記役抽選手段の抽選結果及び停止スイッチの操作に応じて、複数の図柄列を所定位置に停止させる制御を行う停止制御手段と、表示演出装置に表示することにより、停止スイッチの操作順序を報知する報知手段と、アシスト機能を発動させるための抽選を行うアシスト抽選手段と、前記フリーズ演出を行う演出実行手段と、を具備し、前記フリーズ演出における前記回胴の疑似停止中には、前記演出用図柄が上下に震動し、該フリーズ演出が終了した後に、３つの回胴が一定速度で回転して、停止スイッチの正規操作が有効化され、前記役抽選手段が抽選する役には、複数のアシスト小役があり、該アシスト小役は、入賞させることが目的の第１小役、該第１小役の入賞を阻害する目的の複数種類の第２小役、及び第１小役の入賞を阻害する目的の第３小役の何れかが入賞可能な小役であって、第１小役の配当枚数は、第３小役の配当枚数より多くなっており、前記役抽選手段が役抽選を行って、複数のアシスト小役中の何れか１つを内部当選させた場合、前記停止制御手段は、停止スイッチの最初の停止操作が第１小役を入賞させる為の操作順序であるとき、第１小役及び第３小役の共通図柄を有効ライン上に停止させ、停止スイッチの最初の停止操作に続く２回目の停止操作が第１小役を入賞させる為の操作順序であれば第１小役図柄を有効ライン上に停止させて第１小役をテンパイ状態とし、停止スイッチの最後の停止操作で第１小役を入賞させるが、前記２回目の停止操作が第１小役の入賞を阻害する操作順序であれば第３小役図柄を有効ライン上に停止させて第３小役をテンパイ状態とする一方、停止スイッチの最初の停止操作が第１小役の入賞を阻害する操作順序であるとき、複数種類の第２小役図柄の内、有効ライン上に引込可能なコマ数以内にある何れか１つの第２小役図柄を停止させ、停止スイッチのその後の停止操作で第２小役を入賞させるか又は非入賞の何れかにし、
前記報知手段は、アシスト機能の発動状態において、前記表示演出装置に表示することにより、内部当選したアシスト小役の第１小役を入賞させる為の停止スイッチの操作順序を報知することを特徴とする。
【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
複数の底刃及び外周刃を有するスクエアエンドミルであって、
前記外周刃の先端側には、前記外周刃の逃げ面と前記外周刃のすくい面より形成される稜線の曲率半径が大きい先端切れ刃部が設けられ、
前記外周刃の後端側には、前記曲率半径が小さい後端切れ刃部が設けられており、
前記底刃のうち、工具軸から刃径の２５％の位置までの内周切れ刃部の曲率半径Ｒａよりも、外周から刃径の２５％の位置までの外周切れ刃部の曲率半径Ｒｂの方が大きいことを特徴とするスクエアエンドミル。
【請求項２】
請求項１に記載のスクエアエンドミルにおいて、各外周刃の逃げ面及びすくい面がそれぞれ１つの曲面により形成されていることを特徴とするスクエアエンドミル。
【請求項３】
請求項１または２に記載のスクエアエンドミルにおいて、前記先端切れ刃部が前記底刃と前記外周刃のつなぎ目から刃径の３０％までの領域にあることを特徴とするスクエアエンドミル。
【請求項４】
請求項１乃至３のいずれかに記載のスクエアエンドミルにおいて、前記先端切れ刃部の曲率半径Ｒ１が２μm以上４μm以下、前記後端切れ刃部の曲率半径Ｒ２が１μm以上３μm以下であることを特徴とするスクエアエンドミル。
【請求項５】
請求項１乃至４のいずれかに記載のスクエアエンドミルにおいて、前記内周切れ刃部の曲率半径Ｒａが１μm以上２μm以下、かつ前記外周切れ刃部の曲率半径Ｒｂが４μm以上６μm以下であることを特徴とするスクエアエンドミル。
【請求項６】
請求項１乃至５のいずれかに記載のスクエアエンドミルにおいて、複数の底刃及び外周刃を有する刃部と、前記刃部よりも直径が大きいシャンク部と、前記刃部と前記シャンク部を接続する首部から構成されることを特徴とするスクエアエンドミル。
【手続補正２】
【補正対象書類名】明細書
【補正対象項目名】００１６
【補正方法】変更
【補正の内容】
【００１６】
すなわち第１の本発明は、複数の底刃及び外周刃を有するスクエアエンドミルであって、前記外周刃の先端側には、前記外周刃の逃げ面と前記外周刃のすくい面より形成される稜線の曲率半径が大きい先端切れ刃部が設けられ、前記外周刃の後端側には、前記曲率半径が小さい後端切れ刃部が設けられており、前記底刃のうち、工具軸から刃径の２５％の位置までの内周切れ刃部の曲率半径Ｒａよりも、外周から刃径の２５％の位置までの外周切れ刃部の曲率半径Ｒｂの方が大きいことを特徴とするスクエアエンドミルである。各外周刃の逃げ面及びすくい面はそれぞれ１つの曲面により形成されているのが好ましい。
【手続補正３】
【補正対象書類名】明細書
【補正対象項目名】００１７
【補正方法】変更
【補正の内容】
【００１７】
第２の本発明は、第１の本発明において、前記先端切れ刃部が前記底刃と前記外周刃のつなぎ目から刃径の３０％までの領域にあることを特徴としたスクエアエンドミルである。
【手続補正４】
【補正対象書類名】明細書
【補正対象項目名】００２５
【補正方法】変更
【補正の内容】
【００２５】
【図１】本発明の一例であるスクエアエンドミルの概略構成を示す正面図である。
【図２】本発明の一例であるロングネックスクエアエンドミルの概略構成を示す図である。
【図３】本発明における底刃と外周刃のつなぎ部付近の拡大図である。
【図４】従来のエンドミルにおける底刃と外周刃のつなぎ部付近の拡大図である。
【図５】図３におけるＡ−Ａ断面図の拡大図である。
【図６】図３におけるＢ−Ｂ断面図の拡大図である。
【図７】図４におけるＣ−Ｃ断面図の拡大図である。
【図８】図４におけるＤ−Ｄ断面図の拡大図である。
【図９】図２における左側面図を工具回転方向に９０°回転させた拡大図である。
【図１０】図９の拡大図である。
【図１１】図１０におけるＥ−Ｅ断面図の拡大図である。
【図１２】図１０におけるＦ−Ｆ断面図の拡大図である。
【図１３】従来例２における底刃と外周刃のつなぎ部付近の拡大図である。
【図１４】回転軸が３軸構成である本発明で実施したバレル研磨装置の概略図である。
【図１５】図１４に示すバレル研磨装置を図１４における下側から見たときの図である。